(57)【要約】【課題】  通話相手により受話音質を自動的に切替できるようにして、常に受話音声を聞き取り易い状態に調整可能な通信端末装置を提供する。【解決手段】  通信機能２０１と、受話音質調整機能２０２と、着信時における発信者番号検出機能２０３と、発信時における相手番号認識機能２０４と、電話番号と受話音調整状態を対応して記憶する記憶手段２０５と、入力手段２０６と、識別手段２０７と、発信者番号または相手番号と記憶されている電話番号が一致したときは、電話番号と対応して記憶されている受話音調整状態を設定する受話制御手段２０８とを有する通信端末装置１０。【選択図】      図２
2005136788.tif 000002
【特許請求の範囲】
【請求項１】
外部装置との通信機能と、受話音調整機能と、着信時の発信者番号検出機能とを有する通信端末装置において、
発信者番号と対応させ受話音調整状態を記憶する記憶手段と、
前記記憶手段への受話音調整状態の入力をおこなう入力手段と、
前記記憶手段により記憶されている電話番号と着信時に検出した発信者番号が一致するかを識別する識別手段と、
前記識別手段が一致と判定したときは前記記憶手段により記憶されている発信者番号と対応した受話音調整状態を設定し前記識別手段が不一致と判定したときは予め決めていた受話音調整状態を設定する受話制御手段と
を備えたことを特徴とする通信端末装置。
【請求項２】
外部装置との通信機能と、受話音調整機能と、発信時の相手番号認識機能とを有する通信端末装置において、
相手番号と対応させ受話音調整状態を記憶する記憶手段と、
前記記憶手段への受話音調整状態の入力をおこなう入力手段と、
前記記憶手段により記憶されている電話番号と発信時に認識した相手番号が一致するかを識別する識別手段と、
前記識別手段が一致と判定したときは前記記憶手段により記憶されている相手番号と対応した受話音調整状態を設定し前記識別手段が不一致と判定したときは予め決めていた受話音調整状態を設定する受話制御手段と
を備えたことを特徴とする通信端末装置。
【請求項３】
外部装置との通信機能と、受話音調整機能と、着信時の発信者番号検出機能と、発信時の相手番号認識機能とを有する通信端末装置において、
発信者番号または相手番号と対応させ受話音調整状態を記憶する記憶手段と、
前記記憶手段への受話音調整状態の入力をおこなう入力手段と、
前記記憶手段により記憶されている電話番号と着信時に検出した発信者番号または発信時に認識した相手番号が一致するかを識別する識別手段と、
前記識別手段が一致と判定したときは前記記憶手段により記憶されている発信者番号または相手番号と対応した受話音調整状態を設定し前記識別手段が不一致と判定したときは予め決めていた受話音調整状態を設定する受話制御手段と
を備えたことを特徴とする通信端末装置。
【請求項４】
前記入力手段は、前記記憶手段への受話音調整状態の入力は通話終了時におこなう入力手段であることを特徴とする請求項１ないし請求項３のいずれか１項に記載の通信端末装置。
【請求項５】
受話音調整状態の既定値を設定しておき、入力手段によって入力された受話音調整状態が前記受話音調整値の既定値と同じときに前記記憶手段への受話音調整状態を入力しないようにしたことを特徴とする請求項４に記載の通信端末装置。
【発明の詳細な説明】
【技術分野】
【０００１】
本発明は、受話音の調整機能を備えた通信端末装置に関し、特に通話相手により受話音を調整できるようにした通信端末装置に関する。
【背景技術】
【０００２】
一般的に、通信端末装置における受話音の調整機能としては、受話音の音量を調整（大きさの制御）できる機能と、受話音の音質を調整（音声周波数帯域の制御）できる機能を備えている。また、受話音の音質調整をする場合において、周囲騒音によって音声帯域を自動的に切替できるものも提案されている（例えば、特許文献１参照）。
【０００３】
しかしながら、このような音質調整は移動電話機に関しては有効であるが、一般家庭や事務所等で固定的に使用する電話機等（通信端末装置）では必要性が少なく、利用価値が低かった。
【特許文献１】特開平７−２７３８４０号公報
【発明の開示】
【発明が解決しようとする課題】
【０００４】
本発明が解決しようとする問題点は、一般家庭や事務所等で固定的に使用する通信端末装置の場合は、周囲騒音による音質の自動切替ではなく、通話相手により受話音質を自動的に切替できるようにして、常に受話音声を聞き取り易い状態に調整可能な通信端末装置を提供することである。
【課題を解決するための手段】
【０００５】
上記課題を解決するために、本発明は、外部装置との通信機能と、受話音調整機能と、着信時の発信者番号検出機能とを有する通信端末装置において、発信者番号と対応させ受話音調整状態を記憶する記憶手段と、前記記憶手段への受話音調整状態の入力を行う入力手段と、前記記憶手段に記憶されている電話番号と着信時に検出した発信者番号が一致するかを識別する識別手段と、前記識別手段が一致と判定したときは前記記憶手段に記憶されている発信者番号に対応した受話音調整状態を設定し前記識別手段が不一致と判定したときは予め決めていた受話音調整状態を設定する受話制御手段とを備えた。
【０００６】
また、本発明は、外部装置との通信機能と、受話音調整機能と、発信時の相手番号認識機能とを有する通信端末装置において、相手番号と対応させ受話音調整状態を記憶する記憶手段と、前記記憶手段への受話音調整状態の入力をおこなう入力手段と、前記記憶手段に記憶されている電話番号と発信時に認識した相手番号が一致するかを識別する識別手段と、前記識別手段が一致と判定したときは前記記憶手段に記憶されている相手番号に対応した受話音調整状態を設定し前記識別手段が不一致と判定したときは予め決めていた受話音調整状態を設定する受話制御手段とを備えた。
【０００７】
さらに、本発明は、前記入力手段は、通話終了時に受話音調整状態の入力を行う。
【発明の効果】
【０００８】
本発明によれば、一度発信した相手番号（電話番号）、および、一度着信した発信者番号（電話番号）は、通話終了時に電話番号と対応させ通話終了時の受話音の調整状態を記憶しておき、次の着信または発信時に、記憶されている電話番号と一致した場合は対応した受話音の調整状態を設定する。これにより例えば相手が女性等で高い声の場合は音声帯域の低域を強調した受話音声調整をして軟らかい音にして聞き易くし、相手が男性等で低い声の場合は音声帯域の高域を強調した受話音声調整をして聞き易くして通話を終了すれば、次に同じ相手と通話したときには記憶されている受話音の調整状態が自動的に設定されることになり、利用者にとって受話音調整の利用価値が向上する。
【発明を実施するための最良の形態】
【０００９】
以下、本発明の実施形態について説明する。なお、以下の実施形態では通信端末装置として、ＩＳＤＮ電話機を例にあげて説明する。しかし、本発明はこれに限定されない。例えば、ＩＳＤＮ電話機の代わりに、留守番電話機や、ファクシミリ機能付き電話機、または、携帯端末やＰＨＳ端末を用いても良い。さらに、ボタン電話装置や構内交換装置の内線電話機で実施しても良い。また、以下の説明では受話音の調整とは、受話音質調整を主体とし、受話音量調整は補足的に説明するが、受話音質調整、または受話音量調整のいずれか片方のみに限定して実施しても良い。
【００１０】
図１は、本発明にかかる通信端末装置１０の構成概略図である。図２は、本発明の制御部２０の機能ブロック図である。図３は、本発明に関する各手段の概略フローチャートである。
【００１１】
図１に示すように、本発明にかかる通信端末装置１０は、データ送受信回路部１１と、音声処理部１２と、スピーカ１３と、周波数帯域フィルタ１４と、送受話器１５と、ＬＣＤ表示器１６と、ダイヤルキー１７と、機能キー１８と、音質調整キー１９と、制御部２０とを有して構成される。
【００１２】
データ送受信回路部１１は、ＩＳＤＮ回線に接続され、該ＩＳＤＮ回線と制御データ、音声データの通信を行うためのインタフェース回路である。
【００１３】
音声処理部１２は、音声のデジタル／アナログ変換、アナログ／デジタル変換と、通信端末装置内の送受話器１５やスピーカ１３等との通話路切替および各音量（音の大きさ）を制御する。
【００１４】
スピーカ１３は、ＩＳＤＮ回線から着信があった場合の着信音送出や、スピーカによる拡声受話に使用する。
【００１５】
周波数帯域フィルタ１４は、受話音声の周波数帯域を選択するためのフィルタであり、受話音声の周波数を高周波数帯域に制限する高域フィルタと、低周波数帯域に制限する低域フィルタとで構成され、各フィルタは各々独立して選択することができる。すなわち、高域フィルタのみを選択した場合には、音声処理部１２から出力される信号のうち高周波数側が通過されて送受話器１５から受話音声として出力されるため、高周波数側（高音域）が強調され、聞き取り易い受話音声となり。逆に、低域フィルタのみを選択した場合には、低周波数側（低音域）が強調され、受話音声の音質が軟らかいものとなる。また、高域フィルタと低域フィルタの両方を選択した場合には、通常の音質（フラット特性）となる。
【００１６】
送受話器１５は、一般的な通話時の送話、受話を行うためのハンドセットである。
【００１７】
ＬＣＤ表示器１６は、ＩＳＤＮ回線に発信したときの相手電話番号表示、着信したときの発信者番号表示、等の表示を行う。
【００１８】
ダイヤルキー１７は、相手電話番号の入力に使用する。また、各種設定の入力手段としても用いられる。
【００１９】
機能キー１８は、ＩＳＤＮ電話機で一般的に使用する保留や拡声受話、各種設定への移行等のボタンである。
【００２０】
音質調整キー１９は、通話中の受話音声の音質を高音域にするか、低音域にするか、フラット特性にするかの選択に用いる。
【００２１】
制御部２０は、通信端末装置１０内の各回路からの入力情報に対する解析や判断、各回路の制御を行う。
【００２２】
次に、図２を用いて、通信端末装置１０の制御部２０内における機能構成の概要を説明する。図２は、本発明に関係する部分のみを図示してある。なお、図２では入力手段２０６は、通話終了時に自動的に行うことで説明するが、このような構成ではなくて、予め電話番号と受話音調整状態を登録しておくことで実施できることは自明である。図２において、通信端末装置１０の制御部２０は、通信機能２０１と、受話音質調整機能２０２と、発信者番号検出機能２０３と、相手番号認識機能２０４と、記憶手段２０５と、入力手段２０６と、識別手段２０７と、受話制御手段２０８とを有している。
【００２３】
通信機能２０１は、データ送受信回路部１１を経由して、ＩＳＤＮ回線との通信をおこない、ＩＳＤＮ回線より着信があった場合には、受信した着信情報を発信者番号検出機能２０３に通知する。
【００２４】
受話音質調整機能２０２は、ＩＳＤＮ回線との通話中に音質調整キー１９の押下により、受話音声の音質を、高音域、フラット特性、低音域（以下、押下の度に繰り返す）と順次切替え、受話制御手段２０８に周波数帯域フィルタ１４の高域フィルタ、および、低域フィルタの選択を指示すると共に、入力手段２０６にも通知する。
【００２５】
発信者番号検出機能２０３は、通信機能２０１より通知された着信情報に発信者番号が含まれている場合は、入力手段２０６と識別手段２０７に通知し、発信者番号が含まれていない場合（例えば、番号通知拒否、公衆電話、等）は、着信音送出等の着信処理に引き継ぐ。
【００２６】
相手番号認識機能２０４は、ＩＳＤＮ回線への発信時に相手番号として入力されるダイヤルキー１７の押下を検出し、ＩＳＤＮ回線へ呼設定を送信できる状態になった場合、相手番号を入力手段２０６と、識別手段２０７に通知する。
【００２７】
記憶手段２０５は、入力手段２０６から受信した電話番号（発信者番号または相手番号）と、発信者番号または相手番号に対応した受話音質調整状態（高音域、フラット特性、低音域のいずれか）、および、図示されていないが受話音量の小、標準、大のいずれかの状態（受話音量調整状態）を記憶する。
【００２８】
入力手段２０６は、通話終了時に、発信者番号検出機能２０３から受信した発信者番号、または、相手番号認識機能２０４から受信した相手番号と、受話音質調整機能２０２から受信した受話音質調整状態（高音域、フラット特性、低音域のいずれか）と、図示していないが受話音量調整状態（小、標準、大のいずれか）を、記憶手段２０５に通知する。なお、記憶できるメモリ量には制限があるので（例えば、１０００件まで）、ソート処理を行い、空きメモリがない場合には、メモリの先頭に記憶された内容を削除する制御も行っている。
【００２９】
識別手段２０７は、発信者番号検出機能２０３、または、相手番号認識機能２０４より通知された電話番号が、記憶手段２０５に記憶されているかの検索（電話番号の照合）を行い、記憶されている（電話番号が一致した）場合は、電話番号と対応して記憶されている受話音質調整状態と受話音量調整状態を受話制御手段２０８へ通知する。
【００３０】
受話制御手段２０８は、識別手段２０７から受信した受話音質調整状態と受話音量調整状態を各々、周波数帯域フィルタ１４、および音声処理部１２に指示する。また、通話中に受話音質調整機能２０２より受信した受話音質調整状態により周波数帯域フィルタ１４に指示する。また、図示していないが、受話音量切替による受話音量調整状態を音声処理部１２に指示する。
【００３１】
次に、図３を用いて本発明に関する各手段における処理の概略フローチャートを説明する。図３は、本発明に関係する部分を主に図示してある。まず、処理が開始されると、各回路、各メモリを初期設定（イニシャライズ）する（Ｓ０１）。
【００３２】
続いて、通信端末装置１０の状態監視に入り、まず、通信機能２０１に相当する処理で、ＩＳＤＮ回線から着信があるかを検出する（Ｓ１１）。着信を検出すると、発信者番号検出機能２０３に相当する処理で、着信情報に発信者番号が含まれているかを検出する（Ｓ１２）。発信者番号が含まれていない場合は、着信処理として、着信音送出や着信ランプ点灯等の処理を行い、着信中状態に移行する（Ｓ１７）。Ｓ１２ステップで発信者番号を検出した場合は、識別手段２０７に相当する処理で、予め決めていた（既定の）受話音質調整状態を周波数帯域フィルタ１４に指示し、受話音量調整状態を音声処理部１２に指示する（Ｓ１３）。Ｓ１３ステップは、その後の処理（Ｓ１４、Ｓ１５）で、電話番号が検索できなかった場合には、既定の状態を使用するために事前設定を行う。
【００３３】
次に、識別手段２０７に相当する処理で、記憶手段２０５に記憶されている電話番号と、Ｓ１２ステップで検出した発信者番号が一致するかの検索（Ｓ１４）、および、判定（Ｓ１５）を行う。一致した場合は、電話番号に対応して記憶手段２０５に記憶されている受話音質調整状態を周波数帯域フィルタ１４に指示し、受話音量調整状態を音声処理部１２に指示する（Ｓ１６）。そして、前記した着信処理を行う（Ｓ１７）。Ｓ１５ステップで一致しなかった場合は、着信処理（Ｓ１７）に移行する。
【００３４】
Ｓ１１ステップで、着信がなかった場合は、ＩＳＤＮ回線が発信中かの判定を行う（Ｓ２１）。発信中の場合は、相手番号認識機能２０４に相当する処理で、ＩＳＤＮ回線へ呼設定メッセージを送出できる状態になっているかを判定する（Ｓ２２）。呼設定メッセージを送出できる状態とは、いずれも公知であるが、相手番号のダイヤルキー入力が既定の桁数入力されたか、あるいは一定時間ダイヤルキー入力がなかった場合等で、相手番号が揃った状態をいう。
【００３５】
Ｓ２２ステップで呼設定送出準備が完了していない判定を行った場合は、発信中の他の処理（例えば、次桁ダイヤルキーの入力監視、他）を行う（Ｓ２８）。呼設定送出準備が完了した場合は、識別手段２０７に相当する処理で、予め決ていた（既定の）受話音質調整状態を周波数帯域フィルタ１４に指示し、受話音量調整状態を音声処理部１２に指示する（Ｓ２３）。Ｓ２３ステップは、その後の処理（Ｓ２４、Ｓ２５）で、電話番号が検索できなかった場合には、既定の状態を使用するために事前設定を行う。
【００３６】
次に、識別手段２０７に相当する処理で、記憶手段２０５に記憶されている電話番号と、Ｓ２２ステップで判定した相手番号が一致するかの検索（Ｓ２４）、および、判定（Ｓ２５）を行う。一致した場合は、電話番号に対応して記憶手段２０５に記憶されている受話音質調整状態を周波数帯域フィルタ１４に指示し、受話音量調整状態を音声処理部１２に指示する（Ｓ２６）。そして、呼設定送出処理によりＩＳＤＮ回線へ呼設定メッセージを送出し、応答待ち状態に移行する（Ｓ２７）。Ｓ２５ステップで一致しなかった場合は、呼設定送出処理（Ｓ２７）に移行する。
【００３７】
Ｓ２１ステップで発信中ではなかった場合は、ＩＳＤＮ回線と通話中かの判定を行う（Ｓ３１）。通話中ではなかった場合は、他の処理（例えば、着信中のオフフック応答監視、発信で呼設定メッセージ送出後の相手応答監視、等）を行う（Ｓ４０）。
【００３８】
Ｓ３１ステップで通話中の場合は、通話終了かの判定を行い（Ｓ３２）、通話終了ではない場合は、他の処理（例えば、保留操作の監視、等）を行う（Ｓ４０）。他の処理（Ｓ４０）は、前記したが、フローチャート上での表現としては１つで示している。
【００３９】
Ｓ３２ステップで、通話終了を検出すると、入力手段２０６に相当する処理で、記憶手段２０５を検索し、すでに電話番号が記憶されているかを照合し（Ｓ３３）、記憶されている（一致した）かの判定を行い（Ｓ３４）、一致した場合は、その電話番号が記憶されていたメモリを消去し、そのメモリを埋めるように１件毎にずらして記憶する処理（ソート処理）を行う（Ｓ３５）。その後、メモリに記憶された内容の最後尾に、電話番号と、受話音質調整状態と、図示していない受話音量調整状態を記憶する（Ｓ３６）。なお、Ｓ３４ステップで一致していない判定の場合は、図示していないが、記憶手段２０５に空きメモリがあるかを識別し、空きメモリがなかった場合は、メモリの先頭に記憶してある内容を消去し、その消去したメモリ領域を埋めるように１件毎にずらして記憶する処理（ソート処理）を行ってからＳ３６ステップを実行する。
【００４０】
Ｓ３６ステップを実行した後、通話終了処理を行い（Ｓ３７）、待機中に移行する。
【００４１】
なお、Ｓ３６ステップにおいて、受話音質調整状態および／または受話音量調整状態の内容が、既定の受話音質調整状態および／または既定の受話音量調整状態の内容と同じであるときには、記憶手段への記憶を省略してもよい、このことによってメモリの使用量を削減することができる。
【図面の簡単な説明】
【００４２】
【図１】本発明にかかる通信端末装置１０の構成概略図
【図２】本発明の制御部２０の機能ブロック図
【図３】本発明に関する各手段の概略フローチャート
【符号の説明】
【００４３】
１０  通信端末装置
１１  データ送受信回路部
１２  音声処理部
１３  スピーカ
１４  周波数帯域フィルタ
１５  送受話器
１６  ＬＣＤ表示器
１７  ダイヤルキー
１８  機能キー
１９  音質調整キー
２０  制御部
２０１  通信機能
２０２  受話音質調整機能
２０３  発信者番号検出機能
２０４  相手番号認識機能
２０５  記憶手段
２０６  入力手段
２０７  識別手段
２０８  受話制御手段
【図１】
2005136788.tif 000003
【図２】
2005136788.tif 000004
【図３】
2005136788.tif 000005